(57)【要約】      （修正有）【課題】オンオフ及び制御を簡略化して温度やスチームの量を調整することで使用時の利便性を向上させるスチーム式衣類仕上げ装置を提供する。【解決手段】本体部とベースを含み、本体部１０は、持ち手、水タンク１３、ウォーターポンプ１５、タッチコントロールユニット１７及び制御モジュール１９を含み、ベース２０は少なくとも１つの加熱ユニット２１を含む。水タンクとウォーターポンプは本体部内に設けられ、ウォーターポンプは水タンクに接続されて水タンク内の液体を外部に輸送する。制御モジュールは、タッチコントロールユニット、ウォーターポンプ及び加熱ユニットに電気的に接続される。使用者は、タッチコントロールユニットを通じて操作信号を制御モジュールに伝送し、制御モジュールは、操作信号に基づいてウォーターポンプ及び加熱ユニットを制御し、オン／オフすることで送出水量と温度を調整する。【選択図】図１
0003217528.tif 000002
【実用新案登録請求の範囲】
【請求項１】
持ち手と、内部に位置して液体を蓄積するための水タンクと、当該水タンクに接続されて当該水タンク内に蓄積される当該液体を当該水タンクの外部へと輸送するウォーターポンプと、表面に位置するタッチコントロールユニットと、内部に位置するとともに当該ウォーターポンプ及び当該タッチコントロールユニットに電気的に接続される制御モジュールと、を含む本体部、及び
当該本体部に接続されるベースであって、当該制御モジュールに電気的に接続される少なくとも１つの加熱ユニットを含むベース、を含み、
当該制御モジュールは、当該タッチコントロールユニットにより伝送される少なくとも１つの操作信号を受信して、当該ウォーターポンプ及び当該加熱ユニットを制御するスチーム式衣類仕上げ装置。
【請求項２】
当該加熱ユニットに接続される底板を含み、当該加熱ユニットにより当該底板が加熱され、当該底板には複数の貫通孔が設けられる請求項１に記載のスチーム式衣類仕上げ装置。
【請求項３】
当該ベースに接続される接続部を含み、当該接続部の底部はブラシ毛又は複数の貫通孔を含む請求項１に記載のスチーム式衣類仕上げ装置。
【請求項４】
当該タッチコントロールユニットは当該制御モジュールを介して、当該ウォーターポンプのオン／オフ及び当該加熱ユニットのオン／オフを実施する請求項１に記載のスチーム式衣類仕上げ装置。
【請求項５】
当該ウォーターポンプは、当該水タンク内に蓄積される当該液体を当該水タンクの外部へと輸送し、当該加熱ユニットは、当該ウォーターポンプから送出された液体を加熱してスチームを発生させる請求項１に記載のスチーム式衣類仕上げ装置。
【請求項６】
当該タッチコントロールユニットは当該制御モジュールを介して、当該ウォーターポンプから送出される液体量の調整、当該加熱ユニットの温度調整、及び当該スチーム量の調整を実施する請求項５に記載のスチーム式衣類仕上げ装置。
【請求項７】
当該水タンク内に設けられるとともに当該制御モジュールに接続される水位測定ユニットを含み、当該水位測定ユニットは、当該水タンク内の当該液体量を測定し、測定結果を当該制御モジュール経由で当該タッチコントロールユニットに伝送する請求項１に記載のスチーム式衣類仕上げ装置。
【請求項８】
当該タッチコントロールユニットは、当該持ち手の表面に設けられる請求項１に記載のスチーム式衣類仕上げ装置。
【請求項９】
当該加熱ユニット又は当該底板に接続されるとともに、当該制御モジュールに電気的に接続される温度検知ユニットを含み、当該温度検知ユニットは、加熱ユニット又は当該底板の温度を測定し、測定した温度信号を当該制御モジュール経由で当該タッチコントロールユニットに伝送する請求項１に記載のスチーム式衣類仕上げ装置。
【請求項１０】
当該制御モジュールには閾値温度が蓄積され、当該温度検知ユニットにより測定された温度と当該閾値温度とを比較して、測定された温度が当該閾値温度よりも高い場合、当該制御モジュールは当該加熱ユニットをオフにする請求項９に記載のスチーム式衣類仕上げ装置。
【請求項１１】
当該持ち手の表面に設けられるとともに、当該制御モジュールに電気的に接続される検知ユニットを含み、当該検知ユニットは、タッチ又は遮断されると検知信号を当該制御モジュールに伝送し、当該制御モジュールは、これを受けて当該加熱ユニット及び当該ウォーターポンプをオンにする請求項１に記載のスチーム式衣類仕上げ装置。
【考案の詳細な説明】
【技術分野】
【０００１】
本考案は、主としてタッチコントロールユニットを用いてオン・オフ及び制御を実施し、温度やスチームの量を調整することで使用時の利便性を向上させるスチーム式衣類整理装置に関する。
【背景技術】
【０００２】
現在一般的なスチーム式衣類仕上げ装置には、使用方式の違いによって、スチームアイロンとガーメントスチーマーがある。また、科学技術の進歩に伴って、スチーム式衣類仕上げ装置は機能が徐々に拡大していることから、例えばスチーム調整スイッチ、温度調整スイッチ、電源スイッチ、時間設定スイッチというように、スチーム式衣類仕上げ装置上の制御スイッチの数もまた増加している。
【０００３】
使用者はスチーム式衣類仕上げ装置の使用過程において、衣類の材質やタイプに応じてスチーム式衣類仕上げ装置上のスイッチを調節することで、スチーム式衣類仕上げ装置の温度や発生スチーム量を変更可能である。しかし、スチーム式衣類仕上げ装置上のスイッチ数が増加していることから、使用者は操作に戸惑うだけでなく、不適切な操作によって衣類を損傷させる場合がある。
【考案の概要】
【０００４】
本考案は、スチーム式衣類仕上げ装置であって、本体部及びベースを含み、本体部がベースに接続される。本体部又は持ち手の表面にはタッチコントロールユニットが設けられ、本体部の内部には制御モジュールが設けられる。制御モジュールは、本体部に設けられるウォーターポンプと、ベースに設けられる少なくとも１つの加熱ユニットに電気的に接続される。以上より、使用者は、タッチコントロールユニットを通じて制御モジュールに対し操作信号を出力し、制御モジュールによってウォーターポンプ及び加熱ユニットを制御することで、スチーム式衣類仕上げ装置の温度及び発生スチームの量を調整可能となる。
【０００５】
本考案はスチーム式衣類仕上げ装置であって、主に、持ち手にタッチコントロールユニットが設けられる。タッチコントロールユニットは従来技術の前記スイッチに代わるものであり、これによりスチーム式衣類仕上げ装置の制御インターフェイスが簡略化されるとともに、使用者による操作が容易となる。また、タッチコントロールユニットは、スチーム式衣類仕上げ装置における現在の操作状態を表示してもよい。これによれば、使用者はタッチコントロールユニットを通じて現在の操作状態を把握可能となるため、使用時の利便性が向上する。
【０００６】
本考案は、持ち手と、内部に位置して液体を蓄積するための水タンクと、水タンクに接続されて水タンク内に蓄積される液体を水タンクの外部へと輸送するウォーターポンプと、表面に位置するタッチコントロールユニットと、内部に位置するとともにウォーターポンプ及びタッチコントロールユニットに電気的に接続される制御モジュールと、を含む本体部、及び、本体部に接続されるベースであって、制御モジュールに電気的に接続される少なくとも１つの加熱ユニットを含むベース、を含み、制御モジュールは、タッチコントロールユニットにより伝送される少なくとも１つの操作信号を受信して、ウォーターポンプ及び加熱ユニットを制御するスチーム式衣類仕上げ装置を提供する。
【０００７】
本考案で記載するスチーム式衣類仕上げ装置の一実施例では、加熱ユニットに接続される底板を含み、加熱ユニットにより底板が加熱され、底板には複数の貫通孔が設けられる。
【０００８】
本考案で記載するスチーム式衣類仕上げ装置の一実施例では、ベースに接続される接続部を含み、接続部の底部はブラシ毛又は複数の貫通孔を含む。
【０００９】
本考案で記載するスチーム式衣類仕上げ装置の一実施例では、ウォーターポンプは、水タンク内に蓄積される液体を水タンクの外部へと輸送し、加熱ユニットは、ウォーターポンプから送出された液体を加熱してスチームを発生させる。タッチコントロールユニットは制御モジュールを介して、ウォーターポンプから送出される液体量の調整、加熱ユニットの温度調整、及びスチーム量の調整を実施する。
【図面の簡単な説明】
【００１０】
【図１】図１は、本考案のスチーム式衣類仕上げ装置の一実施例にかかる断面図である。
【図２】図２は、本考案のスチーム式衣類仕上げ装置の他の実施例にかかる断面図である。
【図３】図３は、本考案のスチーム式衣類仕上げ装置の他の実施例にかかる斜視図である。
【考案を実施するための形態】
【００１１】
本考案のスチーム式衣類仕上げ装置の一実施例にかかる断面図である図１を参照する。図示するように、本考案で記載するスチーム式衣類仕上げ装置１は本体部１０とベース２０を含み、本体部１０がベース２０に接続されている。
【００１２】
本体部１０は、使用者がスチーム式衣類仕上げ装置１を手に取るための持ち手１１を含む。本考案の実施例において、本体部１０は、タッチコントロールユニット１７及び制御モジュール１９を含む。タッチコントロールユニット１７は制御モジュール１９に電気的に接続されており、操作信号を制御モジュール１９に対し伝送する。
【００１３】
具体的に、制御モジュール１９は本体部１０内に位置する。これに対し、タッチコントロールユニット１７は、使用者がスチーム式衣類仕上げ装置を使用する際、又は手に取る際にタッチコントロールユニット１７を操作しやすいよう、本体部１０における持ち手１１の外表面に設ければよい。ただし、いうまでもなく、タッチコントロールユニット１７を持ち手１１に設けることは本考案の一実施例にすぎず、本考案の権利範囲を制限するものではない。よって、別の実施例では、タッチコントロールユニット１７を本体部１０のその他の位置に設けてもよい。
【００１４】
本考案の一実施例において、タッチコントロールユニット１７としてはタッチパネル（ｔｏｕｃｈ  ｐａｎｅｌ）が可能であり、制御モジュール１９には、回路基板、プロセッサ及び／又は蓄積ユニットが含まれ得る。タッチコントロールユニット１７は、操作信号を制御モジュール１９に伝送可能であり、且つ、制御モジュール１９によってスチーム式衣類仕上げ装置１が制御される。なお、制御モジュール１９の詳細な回路については当該分野における公知の常識のため、ここでは詳細に説明しない。
【００１５】
本体部１０内には、水タンク１３及びウォーターポンプ１５が設けられている。水タンク１３には液体１２が蓄積される。また、ウォーターポンプ１５は水タンク１３に接続され、水タンク１３に蓄積されている液体１２を水タンク１３の外部へと輸送する。本考案の一実施例において、水タンク１３に蓄積される液体１２としては水が可能であり、ウォーターポンプ１５は水タンク１３内の水を外部へと輸送する。
【００１６】
制御モジュール１９はウォーターポンプ１５に電気的に接続されており、ウォーターポンプ１５をオン／オフ可能である。このほか、制御モジュール１９はウォーターポンプ１５から送出される水量を変更するよう、ウォーターポンプ１５の運転速度を調整することも可能である。
【００１７】
ベース２０は本体部１０に接続されており、加熱ユニット２１を含む。加熱ユニット２１は制御モジュール１９に電気的に接続されており、且つ、制御モジュール１９によって加熱ユニット２１の温度を制御可能である。なお、本実施例では加熱ユニット２１が１つの場合を例示しているが、ニーズの違いによって複数の加熱ユニットを設けてもよい。加熱ユニット２１の数は本考案の主要な特徴ではないため、ここではこれ以上詳述しない。具体的に、ウォーターポンプ１５は水タンク１３内の水を加熱ユニット２１まで輸送し、スチーム式衣類仕上げ装置１でスチームが発生するよう加熱ユニット２１で加熱する。具体的には、ウォーターポンプ１５から送出される水量が多いほど、スチーム式衣類仕上げ装置１で発生するスチームも増加する。
【００１８】
本考案の一実施例において、ベース２０は底板２３を含んでもよく、底板２３に複数の貫通孔２５を設けてもよい。底板２３は加熱ユニット２１に接続されており、加熱ユニット２１により底板２３を加熱可能である。
【００１９】
本考案の一実施例において、ベース２０は底板２３及び／又は加熱ユニット２１の上方に位置する空間２７を含み得る。例えば、空間２７は底板２３及び／又は加熱ユニット２１と本体部１０の間に位置し得る。ウォーターポンプ１５は水タンク１３内の液体１２を空間２７内に輸送可能であり、加熱ユニット２１及び／又は底板２３により液体１２を加熱することでスチームを発生させる。また、スチームは底板２３の貫通孔２５から噴出する。なお、本実施例の液体としては水が可能であるが、水に限定されない。
【００２０】
具体的に、本考案の実施例におけるスチーム式衣類仕上げ装置１としては、スチームアイロン、ガーメントスチーマー、或いはスチームアイロンとガーメントスチーマーの両機能を有する衣類仕上げ装置が可能である。スチーム式衣類仕上げ装置１がスチームアイロンの場合、底板２３は表面が平滑な金属プレートとすればよい。使用時には底板２３を衣類に密着させれば、底板２３によってスチームと温度が衣類に伝達されることで、衣類が平坦に整えられる。ただし、スチーム式衣類仕上げ装置１をガーメントスチーマーとして使用する際、底板２３をアイロンとして利用しない場合には、底板２３の材料は金属に限らず、プラスチック材質で作製してもよい。また、使用者は衣類のタイプや材質に合わせて、タッチコントロールユニット１７によりスチームの量や加熱ユニット２１及び／又は底板２３の温度を制御可能である。
【００２１】
タッチコントロールユニット１７としてはタッチパネル（ｔｏｕｃｈ  ｐａｎｅｌ）が可能であり、スチーム式衣類仕上げ装置１の電源スイッチアイコン（ｉｃｏｎ）、加熱スイッチアイコン、ウォーターポンプスイッチアイコン、スチームスイッチアイコン、温度調整アイコン、ウォーターポンプ送出水量調整アイコン、スチーム量調整アイコン等を表示可能である。使用者はタッチコントロールユニット１７に表示される電源スイッチアイコン、加熱スイッチアイコン、ウォーターポンプスイッチアイコン、スチームスイッチアイコンをタッチすることで、タッチコントロールユニット１７によって少なくとも１つの操作信号を制御モジュール１９に伝送させられる。すると、制御モジュール１９は、スチーム式衣類仕上げ装置１の電源のオン／オフ、加熱ユニット２１のオン／オフ、ウォーターポンプ１５のオン／オフ、スチームのオン／オフを実行する。
【００２２】
スチーム式衣類仕上げ装置１がオンになった後、更に、タッチコントロールユニット１７上の温度調整アイコン、ウォーターポンプ送出水量調整アイコン又はスチーム調整アイコンにタッチすれば、タッチコントロールユニット１７によって少なくとも１つの操作信号を制御モジュール１９に伝送可能となる。すると、制御モジュール１９は、加熱ユニット２１の温度調整、ウォーターポンプ１５による送出水量調整、発生スチーム量の調整を実施する。
【００２３】
タッチコントロールユニット１７を設けることで、スチーム式衣類仕上げ装置１における複数の機能制御スイッチと電源スイッチを１つの制御インターフェイスに統合可能となる。これにより、スチーム式衣類仕上げ装置１上のスイッチを簡略化できるだけでなく、使用者によるスチーム式衣類仕上げ装置１の操作も容易となる。なお、本考案の上記実施例では、電源スイッチアイコンをタッチコントロールユニット１７上に統合しているが、別の実施例では電源スイッチユニットを独立した物理スイッチとしてもよい。
【００２４】
本考案の一実施例では、持ち手１１上に検知ユニット１８を設けてもよい。検知ユニット１８は制御モジュール１９に電気的に接続される。例えば、検知ユニット１８は、赤外線センサ、フォトレジスタ、タッチコントロールユニット等とする。また、スチーム式衣類仕上げ装置１の電源がオンの場合、持ち手１１に設けられた検知ユニット１８によって使用者によるタッチの有無を検知可能とする。検知ユニット１８は、使用者によるタッチを検知すると検知信号を制御モジュール１９に伝送可能であり、且つ、制御モジュール１９によって加熱ユニット２１及び／又はウォーターポンプ１５をオンとすることができる。一方、使用者の手部が検知ユニット１８から離開すると、制御モジュール１９は加熱ユニット及び／又はウォーターポンプ１５をオフとする。以上により、使用時の利便性が向上する。例えば、タッチコントロールユニット１７は、使用者が操作しやすいよう持ち手１１の上面に設ける一方で、検知ユニット１８は、使用者の手部が持ち手１１を把持したか否かを検知しやすいよう持ち手１１の下部に設ければよい。
【００２５】
また、使用者がスチーム式衣類仕上げ装置１の使用状態を理解しやすいよう、タッチコントロールユニット１７には、例えばスチーム式衣類仕上げ装置１の電源がオンか否か、加熱ユニット２１及びウォーターポンプ１５がオンか否か、加熱ユニット２１の温度、ウォーターポンプ１５からの送出水量、発生スチーム量といったスチーム式衣類仕上げ装置１の使用状態を表示してもよい。
【００２６】
本考案の一実施例では、水タンク１３内に蓄積されている液体量を測定するための水位測定ユニット１３１を水タンク１３内に設けてもよい。また、水位測定ユニット１３１は制御モジュール１９に電気的に接続されて、測定結果を制御モジュール１９経由でタッチコントロールユニット１７へと伝送し、タッチコントロールユニット１７によって水タンク１３に蓄積されている液体量が表示される。例えば、水位測定ユニット１３１は、水タンク１３内に蓄積されている液体が足りないことを検知すると、警告信号を制御モジュール１９経由でタッチコントロールユニット１７に伝送する。タッチコントロールユニット１７は警告信号を受信すると、特定の色又はアイコンを発生させて、水タンク１３に蓄積されている液体量が足りない旨を使用者に通知する。
【００２７】
本考案の一実施例では、スチーム式衣類仕上げ装置１に音声発生ユニット１４を設け、音声発生ユニット１４を制御モジュール１９に電気的に接続してもよい。水位測定ユニット１３１が制御モジュール１９経由で警告信号を音声発生ユニット１４に伝送すると、音声発生ユニット１４が警告音を発生させることで、使用者に対する注意喚起が可能となる。
【００２８】
加熱ユニット２１及び／又は底板２３には温度検知ユニット２４を設け、加熱ユニット２１及び／又は底板２３の温度を測定してもよい。測定された温度信号は、制御モジュール１９を通じてタッチコントロールユニット１７へと伝送され、タッチコントロールユニット１７により温度が表示される。また、制御モジュール１９に閾値温度を蓄積しておき、温度検知ユニット２４により測定された温度と閾値温度を比較してもよい。測定された温度が閾値温度よりも高い場合、制御モジュール１９は別の警告信号をタッチコントロールユニット１７及び／又は音声発生ユニット１４に伝送し、タッチコントロールユニット１７及び／又は音声発生ユニット１４によって異なる色、アイコン又は音声を発生させてもよい。また、別の実施例において、制御モジュール１９は測定された温度が閾値温度よりも高いと判断した場合、加熱ユニット２１及び／又はウォーターポンプ１５を自動的にオフとすることで、スチーム式衣類仕上げ装置１の使用上の安全性を向上させてもよい。
【００２９】
なお、いうまでもなく、上記実施例の水位測定ユニット１３１、音声発生ユニット１４及び温度検知ユニット２４は本考案における必須の部材ではなく、本考案の権利範囲を制限するものでもない。
【００３０】
本考案のスチーム式衣類仕上げ装置の他の実施例にかかる断面図及び斜視図である図２及び図３を参照する。図示するように、本考案で記載するスチーム式衣類仕上げ装置１は、本体部１０、ベース２０及び接続部２９を含む。接続部２９はベース２０及び／又は本体部１０に固定されて、スチーム式衣類仕上げ装置１に追加機能を付与可能である。
【００３１】
本考案の一実施例において、接続部２９は中空のユニットであって、ベース２０に対し覆設されるよう固定される。また、接続部２９の底部２９１には複数の貫通孔２９３を設けてもよい。接続部２９をベース２０に覆設すると、接続部２９内の中空部がベース２０の空間２７と連通可能となる。また、ウォーターポンプ１５から送出された水を加熱ユニット２１により加熱して形成されたスチームが、接続部２９底部の貫通孔２９３から導出される。
【００３２】
本考案の一実施例において、接続部２９は凹溝２９５を含んでもよい。この場合、底部２９１は凹溝２９５の周囲を取り囲むよう設けられる。なお、接続部２９はプラスチック材料で作製してもよいし、金属材質で作製してもよい。
【００３３】
本考案の他の実施例では、接続部２９はブラシ毛（図示しない）を備えてもよい。ブラシ毛を備える接続部２９を設けることで、スチーム式衣類仕上げ装置１はスチームを発生させて衣類を整えるだけでなく、接続部２９上のブラシ毛によって衣類を仕上げることが可能となる。
【００３４】
具体的に、スチーム式衣類仕上げ装置１が接続部２９を備える場合には、スチーム式衣類仕上げ装置１をガーメントスチーマーとし、ハンガーに掛けられた衣類を接続部２９の貫通孔２９３から送出されるスチームで整えられるようにする。
【００３５】
なお、以上は本考案の好ましい実施例にすぎず、本考案の実施範囲を限定するものではない。本考案の請求の範囲に記載する形状、構造、特徴及び精神に基づく等価の変形又は補足は、いずれも本考案の請求の範囲に属する。
【符号の説明】
【００３６】
１  スチーム式衣類仕上げ装置
１０  本体部
１１  持ち手
１２  液体
１３  水タンク
１３１  水位測定ユニット
１４  音声発生ユニット
１５  ウォーターポンプ
１７  タッチコントロールユニット
１８  検知ユニット
１９  制御モジュール
２０  ベース
２１  加熱ユニット
２３  底板
２４  温度検知ユニット
２５  貫通孔
２７  空間
２９  接続部
２９１  底部
２９３  貫通孔
２９５  凹溝
【図１】
0003217528.tif 000003
【図２】
0003217528.tif 000004
【図３】
0003217528.tif 000005
【手続補正書】
【提出日】平成30年6月12日(2018.6.12)
【手続補正１】
【補正対象書類名】実用新案登録請求の範囲
【補正対象項目名】請求項９
【補正方法】変更
【補正の内容】
【請求項９】
当該加熱ユニット又は当該底板に接続されるとともに、当該制御モジュールに電気的に接続される温度検知ユニットを含み、当該温度検知ユニットは、加熱ユニット又は当該底板の温度を測定し、測定した温度信号を当該制御モジュール経由で当該タッチコントロールユニットに伝送する請求項２に記載のスチーム式衣類仕上げ装置。